Podtech/llm-jp-corpus-v4-ja_patent huggingface dataset:
【手続補正書】
【提出日】令和2年10月30日(2020.10.30)
【手続補正１】
【補正対象書類名】特許請求の範囲
【補正対象項目名】全文
【補正方法】変更
【補正の内容】
【特許請求の範囲】
【請求項１】
シーラントを航空機用部品に適用する方法であって、
接着促進剤又は湿潤剤のうちの少なくとも１種を含む硬化性シーラントを、前記航空機用部品の表面に適用することと、
第１の期間内に、前記硬化性シーラントの露出部分上に非粘着性外板を形成し、その一方で、第２の期間中、前記航空機用部品の前記表面に隣接する前記硬化性シーラントの一部が液体であるようにすることとを含み、
前記第２の期間が前記第１の期間の少なくとも２倍であり、
前記第１の期間と前記第２の期間とが同時に開始する、
方法。
【請求項２】
前記第２の期間が、前記第１の期間の少なくとも１０倍であるか、又は前記第２の期間が、前記接着促進剤又は湿潤剤のうちの少なくとも１種を前記航空機用部品の前記表面へ移行させるのに十分である、請求項１に記載の方法。
【請求項３】
前記硬化性シーラントが、航空機外板の部分同士の間の継ぎ目又は接合部、航空機用締結具、航空機用窓、航空機用アクセスパネル、機体突出部、又は航空機用燃料タンクのうちの少なくとも一つに適用される、請求項１または２に記載の方法。
【請求項４】
前記硬化性シーラントが、２個以上のチオール基を含むポリチオールを含む、請求項１〜３のいずれか一項に記載の方法。
【請求項５】
前記硬化性シーラントが、２個以上のエポキシド基を含むポリエポキシドを含むか、前記硬化性シーラントが、２個以上のマイケル受容体基を含むマイケル受容体を含む、請求項４に記載の方法。
【請求項６】
前記硬化性シーラントが、光潜在性塩基を更に含む、請求項５に記載の方法。
【請求項７】
光潜在性塩基触媒を含む溶液を前記硬化性シーラントの前記露出部分に適用し、その後、前記硬化性シーラントの前記露出部分を化学線に曝露することを更に含む、請求項５に記載の方法。
【請求項８】
前記硬化性シーラントの露出部分上に非粘着性外板を形成することが、前記硬化性シーラントの前記露出部分を化学線に曝露することを含む、請求項１〜６のいずれか一項に記載の方法。
【請求項９】
前記硬化性シーラントが、２個以上の炭素−炭素二重結合、炭素−炭素三重結合、又はそれらの組み合わせを含む少なくとも１種の不飽和化合物、及び光開始剤を含み、前記硬化性シーラントの露出部分上に非粘着性外板を形成することが、前記硬化性シーラントの前記露出部分を化学線に曝露することを含む、請求項４に記載の方法。
【請求項１０】
前記硬化性シーラントが、酸素活性化硬化剤又は水分活性化硬化剤のうちの少なくとも１種を含む、請求項４に記載の方法。
【手続補正書】
【提出日】令和2年11月5日(2020.11.5)
【手続補正１】
【補正対象書類名】特許請求の範囲
【補正対象項目名】全文
【補正方法】変更
【補正の内容】
【特許請求の範囲】
【請求項１】
式（I）
2019534332.tif 000001
の化合物、またはその薬学的に許容される塩、多形、プロドラッグ、溶媒和物もしくはクラスレート:
式中、
nは0〜3の整数であり; Xは(-CHR5-)mまたは-O-であって、mは1または2であり、各R5は、独立して、H、アルキルまたはアルコキシであり;
X1、X2およびX3はそれぞれ独立して(-CHR5-)mであり;
R1はアルキル、アルコキシ、アリール、ヘテロシクリル、ハロ、ヒドロキシまたはアミノであり;
R2はアルキルであり;
R3はアリール、ベンゾチアゾール、ベンゾオキサゾール、ベンゾフラニルまたはインドリルであり;
R4はH、アルキルまたはアルコキシである。
【請求項２】
X1は(-CHR5-)mであって、mが2であり;
X2は(-CHR5-)mであって、mが1であり;
X3は(-CHR5-)mであって、mが1であり;
各R5は、独立して、H、アルキルまたはアルコキシである、
請求項1記載の化合物。
【請求項３】
X1は(-CHR5-)mであって、mが1であり;
X2は(-CHR5-)mであって、mが1であり;
X3は(-CHR5-)mであって、mが2であり;
各R5は、独立して、H、アルキルまたはアルコキシである、
請求項1記載の化合物。
【請求項４】
XがOである、請求項1〜3のいずれか一項記載の化合物。
【請求項５】
Xは(-CHR5-)mであって、mが1であり、R5はH、アルキルまたはアルコキシである、
請求項1〜3のいずれか一項記載の化合物。
【請求項６】
R4がHまたはアルコキシであることができる、請求項1記載の化合物。
【請求項７】
式（I）の化合物が下記式
2019534332.tif 000002
の化合物であり、式中、n、R1、R2、R3およびR4は請求項1に定義したとおりである、請求項1記載の化合物、またはその薬学的に許容される塩、多形、プロドラッグ、溶媒和物もしくはクラスレート。
【請求項８】
nが0である、請求項1記載の化合物。
【請求項９】
R2が無置換アルキルである、請求項1記載の化合物。
【請求項１０】
R3がアリール、ベンゾチアゾールまたはベンゾオキサゾールである、請求項1記載の化合物。
【請求項１１】
R3がフェニルである、請求項10記載の化合物。
【請求項１２】
R3が
2019534332.tif 000003
である、請求項10記載の化合物。
【請求項１３】
R3が
2019534332.tif 000004
である、請求項12記載の化合物。
【請求項１４】
R3が
2019534332.tif 000005
であって、式中、
R6はアルキル、アルキルアミノ、シクロアルキルアミノ、シクロアルキルヘテロシクロアミノ、ヘテロシクロシクロアルキルアミノまたはヘテロシクロアミノであり;
X4はS、OまたはNR7であって、R7はH、アルキル、シクロアルキルまたはアルキルアリールである、
請求項10記載の化合物。
【請求項１５】
X4がSまたはOである、請求項14記載の化合物。
【請求項１６】
2019534332.tif 000006
2019534332.tif 000007
2019534332.tif 000008
またはその薬学的に許容される塩、多形、プロドラッグ、溶媒和物もしくはクラスレートである、請求項1記載の化合物。
【請求項１７】
式（II）
2019534332.tif 000009
の化合物、またはその薬学的に許容される塩、多形、プロドラッグ、溶媒和物もしくはクラスレート:
式中、
X、X1〜X3およびR4は本書類において定義され、X5は、ヒドロキシ、アルコキシ、アミノ、C(O)R、C(O)OR、OC(O)OR、C(O)N(R)2、OC(O)N(R)2、C(S)N(R)2、(CH2)0〜2O(R)C(O)R、(CH2)0〜2N(R)C(O)R、(CH2)0〜2O(R)C(O)OR、(CH2)0〜2O(R)C(O)ORまたは(CH2)0〜2N(R)N(R)2からなる群より選択され、各Rは、独立して、水素、アルキル、アシル、シクロアルキル、アリール、アラルキル、ヘテロシクリル、ヘテロアリールまたはヘテロアリールアルキルであって、任意のアルキル、アシル、シクロアルキル、アリール、アラルキル、ヘテロシクリル、ヘテロアリールもしくはヘテロアリールアルキルまたは1つの窒素原子もしくは隣接する複数の窒素原子に結合した2つのR基は、該1つまたは複数の窒素原子と一緒になってヘテロシクリルを形成することができる。
【請求項１８】
X1は(-CHR5-)mであって、mが2であり;
X2は(-CHR5-)mであって、mが1であり;
X3は(-CHR5-)mであって、mが1であり;
各R5は、独立して、H、アルキルまたはアルコキシである、
請求項17記載の化合物。
【請求項１９】
X1は(-CHR5-)mであって、mが1であり;
X2は(-CHR5-)mであって、mが1であり;
X3は(-CHR5-)mであって、mが2であり;
各R5は、独立して、H、アルキルまたはアルコキシである、
請求項17記載の化合物。
【請求項２０】
XがOである、請求項17〜19のいずれか一項記載の化合物。
【請求項２１】
Xは(-CHR5-)mであって、mが1であり、R5がH、アルキルまたはアルコキシである、請求項17〜19のいずれか一項記載の化合物。
【請求項２２】
R4がHまたはアルコキシであることができる、請求項17記載の化合物。
【請求項２３】
請求項1〜22のいずれか一項記載の化合物と1つまたは複数の薬学的に許容される賦形剤とを含む薬学的組成物。
【請求項２４】
治療有効量の1種または複数種の請求項1〜22のいずれか一項記載の化合物を含む、患者におけるHIV感染症を処置するための薬学的組成物。
【手続補正書】
【提出日】令和2年9月7日(2020.9.7)
【手続補正１】
【補正対象書類名】特許請求の範囲
【補正対象項目名】全文
【補正方法】変更
【補正の内容】
【特許請求の範囲】
【請求項１】
音響基板上で使用するための音響透過性コーティングのための配合物であって、水分散性結合剤および比較的大きい充填剤粒子を含み、かつ高顔料対体積濃度、高粘度、高剪断減粘、および速乾を特徴とし、互いに接触したときにその独自性を保持する液滴で前記配合物を噴霧することを可能にする、配合物。
【請求項２】
室温で６６〜１４５０ＢＢＵの粘度を呈する、請求項１に記載の配合物。
【請求項３】
前記大きい充填剤粒子が、２０〜９００ミクロンのサイズを有する、請求項１に記載の配合物。
【請求項４】
前記顔料対体積濃度が、４０％〜９９％である、請求項１に記載の配合物。
【請求項５】
カ氏７５度および相対湿度５０％の環境において２５平方フィート当たり４分の１ガロンの割合で堆積された前記配合物の噴霧層が、３０分で触れるまで乾燥する、請求項１に記載の配合物。
【請求項６】
前記大きい充填剤粒子が、低い吸油率を有する、請求項１に記載の配合物。
【請求項７】
前記大きい充填剤粒子が、６５ミクロンの平均粒径を有するホウケイ酸ガラスの中空球である、請求項１に記載の配合物。
【請求項８】
前記結合剤が、ラテックスである、請求項７に記載の配合物。
【請求項９】
音響基板に音響透過性材料をコーティングする方法であって、液滴が実質的に完全に融合する前に水の蒸発によって前記液滴を乾燥させて空隙が前記乾燥液滴間に残る速度で、液滴形態で前記基板上に請求項１に記載の配合物を噴霧するステップを含む、方法。
【請求項１０】
前記液滴が、１ｍｍより大きい液滴サイズで噴霧される、請求項９記載の方法。
【請求項１１】
モノリシック音響天井であって、
吸音ベールで覆われた複数の有孔乾式壁シートと目地テープと、目地化合物で覆われた前記シートの間の目地とに噴霧された前記配合物の液滴から形成されたコーティングであって、
前記液滴がその独自性を保持して隣接液滴と接触し、コーティングの全厚さにわたって空隙のある複数層の前記コーティングからなる、ノリシック音響天井。
【請求項１２】
音響基板上の音響透過性コーティングであって、前記基板および隣接液滴に結合した乾燥液滴の複数の層を含み、前記液滴が、隣接液滴と接触しない十分な部分を有して、前記コーティングの全厚さにわたって延在する相互連結された気孔を提供する、音響透過性コーティング。
【請求項１３】
前記乾燥液滴が、約１／２〜２−１／２ｍｍの平均サイズを有する、請求項１２に記載の音響透過性コーティング。
【請求項１４】
前記コーティングが、０．０３インチ〜０．１５インチの厚さである、請求項１２に記載の音響透過性コーティング。
【請求項１５】
前記液滴が、乾燥した前記水分散性結合剤と、比較的大きい前記三次元粒子とを含む、請求項１２に記載の音響透過性コーティング。
【請求項１６】
前記比較的大きい三次元粒子が、２０〜９００ミクロンの大きさである、請求項１５に記載の音響透過性コーティング。
【手続補正２】
【補正対象書類名】明細書
【補正対象項目名】００２１
【補正方法】変更
【補正の内容】
【００２１】
３Ｍ  Ｋ１材料は、典型的には０．１２５グラム／ｃｃの報告された真密度および６５ミクロンの平均粒径を有するホウケイ酸ガラスバブル（中空球）である。
３Ｍ  Ｋ１材料は、本発明の実施において特に有用である。この材料は、その中空球状構造から生じる比較的低い密度により、配合物の体積の大部分を占める。さらに、Ｋ１材料は、ＡＳＴＭ  Ｄ２８１−８４に従って、生成物１ｃｃ当たり０．２〜０．６グラムの油の比較的低い吸油量を有する。またさらに、Ｋ  １  材料は、天井用途に有用である天然白色を有する。二酸化チタンは、不透過度改良充填剤および白色化顔料としての役割を果たす。炭酸カルシウムは、コーティングの固形分および密度を増加させて、乾燥時間および乾燥コーティングの硬度をさらに改善する。
【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
腸の健康を促進する組成物であって、腸過透過性を抑制し、かつ腸透過性を維持するのに十分な量で、シアニジンおよびデルフィニジンの組み合わせを有する組成物。
【請求項２】
請求項１記載の組成物において、前記シアニジンおよび前記デルフィニジンの少なくとも１つの原料が黒米抽出物成分、ブルーベリー抽出物成分、クロスグリ抽出物成分、クロウベリー抽出物成分、ビルベリー抽出物成分、ブラックチョークベリー抽出物成分、またはそれらの組み合わせに由来する組成物。
【請求項３】
請求項２記載の組成物において、前記黒米抽出物成分が、前記組成物の前記活性分画の約２．５ｗｔ％〜約２０ｗｔ％を有し、かつ約１０ｗｔ％〜約３０ｗｔ％の標準化されたアントシアニン含有量を有する組成物。
【請求項４】
請求項２記載の組成物において、前記黒米抽出物成分がＯｒｙｚａ  ｓａｔｉｖａ  Ｌに由来する組成物。
【請求項５】
請求項２記載の組成物において、前記ブルーベリー抽出物成分が、前記組成物の前記活性分画の約１ｗｔ％〜約３０ｗｔ％を有し、かつ約０．５ｗｔ％〜約３０ｗｔ％の標準化されたアントシアニン含有量を有する組成物。
【請求項６】
請求項２記載の組成物において、前記ブルーベリー抽出物成分がＶａｃｃｉｎｉｕｍ  ｕｌｉｇｉｎｏｓｕｍ  Ｌに由来する組成物。
【請求項７】
請求項２記載の組成物において、前記クロスグリ抽出物成分が、前記活性分画の約０．５ｗｔ％〜約１５ｗｔ％を有し、かつ約２０ｗｔ％〜約４０ｗｔ％の標準化されたアントシアニン含有量を有する組成物。
【請求項８】
請求項２記載の組成物において、前記クロスグリ抽出物成分がＲｉｂｅｓ  ｎｉｇｒｕｍに由来する組成物。
【請求項９】
請求項２記載の組成物において、前記クロウベリー抽出物成分が、前記組成物の前記活性分画の約１ｗｔ％〜約３０ｗｔ％を有し、かつ約４０ｗｔ％〜約５０ｗｔ％の標準化されたアントシアニン含有量を有する組成物。
【請求項１０】
請求項２記載の組成物において、前記クロウベリー抽出物成分がＥｍｐｅｔｒｕｍ  ｎｉｇｒｕｍに由来する組成物。
【請求項１１】
請求項２記載の組成物において、前記ビルベリー抽出物成分が、前記組成物の前記活性分画の約０．５ｗｔ％〜約３０ｗｔ％を有し、かつ約１ｗｔ％〜約３０ｗｔ％の標準化されたアントシアニン含有量を有する組成物。
【請求項１２】
請求項２記載の組成物において、前記ビルベリー抽出物成分がＶａｃｃｉｎｉｕｍ  ｍｙｒｔｉｌｌｕｓに由来する組成物。
【請求項１３】
請求項２記載の組成物において、前記シアニジンおよび前記デルフィニジンの少なくとも１つの原料が黒米抽出物成分、ブルーベリー抽出物成分、およびクロスグリ抽出物成分の組み合わせに由来する組成物。
【請求項１４】
請求項１３記載の組成物において、前記黒米抽出物成分、前記ブルーベリー抽出物成分、および前記クロスグリ抽出物成分が約１：１：１の比を有する組成物。
【請求項１５】
請求項１記載の組成物であって、さらに、プレバイオティック混合物を有する組成物。
【請求項１６】
請求項１５記載の組成物において、前記プレバイオティック混合物がイヌリン、またはフルクトオリゴ糖、またはそれらの組み合わせを有する組成物。
【請求項１７】
請求項１６記載の組成物において、前記イヌリンがβ（２−１）結合で結合したフルクトース単位を持つオリゴ糖および多糖類を有するチコリーイヌリンであり、前記フルクトオリゴ糖が短鎖フルクトオリゴ糖（ＤＰ≦５）である組成物。
【請求項１８】
請求項１６記載の組成物において、前記イヌリンが、前記組成物の約１５ｗｔ％〜約６０ｗｔ％を有し、前記フルクトオリゴ糖が、前記組成物の前記活性分画の約１０ｗｔ％〜約４０ｗｔ％を有する組成物。
【請求項１９】
請求項１６記載の組成物であって、さらに、イヌリンおよびフルクトオリゴ糖のプレバイオティック混合物を有する組成物。
【請求項２０】
請求項１９記載の組成物において、前記イヌリンおよびフルクトオリゴ糖が、集合的に前記組成物の約５５ｗｔ％〜約９５ｗｔ％を有する組成物。
【手続補正２】
【補正対象書類名】明細書
【補正対象項目名】０００２
【補正方法】変更
【補正の内容】
【０００２】
胃腸系は組織、臓器、宿主細胞、および細菌細胞の複雑なネットワークである。加齢、食事、薬物、腸管微生物叢の破壊、および個人の生活様式の条件はこのネットワークに悪影響を及ぼす可能性がある。これらの影響には、腸微生物叢バランスの破壊、胃腸組織の炎症増加、および胃腸系の上皮細胞バリアの崩壊が含まれる可能性がある。これらの影響は、最終的に全身組織に至る可能性がある。腸の健康を促し、回復する製剤と方法は利益を提供する可能性がある。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  欧州特許出願公開第２６８２００５号明細書
（特許文献２）  米国特許出願公開第２０１４／０１２８３３３号明細書
（特許文献３）  米国特許出願公開第２００７／０２４３２６８号明細書
（特許文献４）  米国特許出願公開第２００８／００２６０５８号明細書
（非特許文献）
（非特許文献１）  ＰＥＲＥＺ−ＶＩＣＥＮＴＥ，ＡＮＴＯＮＩＯ  ｅｔ  ａｌ．，‘Ｉｎ  ｖｉｔｒｏ  ｇａｓｔｒｏｉｎｔｅｓｔｉｎａｌ  ｄｉｇｅｓｔｉｏｎ  ｓｔｕｄｙ  ｏｆ  ｐｏｍｅｇｒａｎａｔｅ  ｊｕｉｃｅ  ｐｈｅｎｏｌｉｃ  ｃｏｍｐｏｕｎｄｓ，ａｎｔｈｏｃｙａｎｉｎｓ，ａｎｄ  ｖｉｔａｍｉｎ  Ｃ’，Ｊｏｕｒｎａｌ  ｏｆ  ａｇｒｉｃｕｌｔｕｒａｌ  ａｎｄ  ｆｏｏｄ  ｃｈｅｍｉｓｔｒｙ，１０  Ａｐｒｉｌ  ２００２，Ｖｏｌ．５０，Ｎｏ．８，ｐｐ．２８０８−２３１２
【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
製剤の総重量または総容量に対し、０．０１％から２０％の間の重量パーセントのアンブロキソールおよび／または塩の形態のアンブロキソール、および、担体を含有することを特徴とするドライアイ疾患治療用製剤。
【請求項２】
前記塩の形態のアンブロキソールが、塩酸アンブロキソールからなる、請求項１に記載のドライアイ疾患治療用製剤。
【請求項３】
前記塩酸アンブロキソールが、製剤の総重量または総容量に対し、０．０２％から１０％の間の重量パーセントで存在する、請求項２に記載のドライアイ疾患治療用製剤。
【請求項４】
前記塩酸アンブロキソールが、製剤の総重量または総容量に対し、０．５％から５％の間の重量パーセントで存在する、請求項２に記載のドライアイ疾患治療用製剤。
【請求項５】
前記塩の形態のアンブロキソールが、トランス‐４‐（２‐アミノ‐３，５‐ジブロモフェニルアミノ）シクロヘキサノール塩酸塩からなる、請求項１に記載のドライアイ疾患治療用製剤。
【請求項６】
前記担体が、眼への局所適用に適した担体である、請求項１〜５のいずれか１つに記載のドライアイ疾患治療用製剤。
【請求項７】
前記担体が、緩衝生理食塩溶液からなる、請求項６に記載のドライアイ疾患治療用製剤。
【請求項８】
前記担体に溶解された生体適合性ポリマー、または生体適合性ポリマー内に含浸されたアンブロキソールをさらに含む、請求項１〜７のいずれか１つに記載のドライアイ疾患治療用製剤。
【請求項９】
前記生体適合性ポリマーが、ポリ‐２‐ヒドロキシエチルメタクリレート（ｐ‐ＨＥＭＡヒドロゲル）、ポリ（乳酸‐コ‐グリコール）酸（ＰＬＧＡ）、ポリカプロラクトン（ＰＣＬ）、ヒドロキシプロピルセルロース、酢酸アネコルタブ（ＡｎＡ）、ゼラチン、および／またはコラーゲンである、請求項８に記載のドライアイ疾患治療用製剤。
【請求項１０】
少なくとも１つの添加剤をさらに含み、該添加剤は、緩和剤、保存剤、皮膚軟化剤、イオン種、ｐＨ調整剤、および他の添加剤である、請求項８に記載のドライアイ疾患治療用製剤。
【請求項１１】
少なくとも１日１回、少なくとも５日の期間にわたって対象者に投与される、請求項１〜１０のいずれか１つに記載のドライアイ疾患治療用製剤。
【請求項１２】
製剤の連続適用を提供する装置を用いて対象者に投与される、請求項１１に記載のドライアイ疾患治療用製剤。
【請求項１３】
前記対象者が、ドライアイ疾患の症状の一部または全部の軽減を経験する、請求項１１に記載のドライアイ疾患治療用製剤。
【請求項１４】
少なくとも１日１回から１週間に１回、１ヶ月に１回及び６ヶ月毎に１回からなる群より選択される頻度で適用される、請求項１１に記載のドライアイ疾患治療用製剤。
【請求項１５】
溶液、ゲル、滴剤、軟膏、懸濁液、マイクロエマルジョン、ナノ粒子、リポソーム、ローション、またはペーストの形態で投与される、請求項１１に記載のドライアイ疾患治療用製剤。
【請求項１６】
徐放性形態で投与される、請求項１１に記載のドライアイ疾患治療用製剤。
【請求項１７】
徐放性形態を含み、外部ポンプ、コンタクトレンズ、涙点プラグ、粘膜付着性錠剤、ピル、カプセル、ペレット、粒子、プラスターもしくは結膜または角膜上に配置される細片、または結膜挿入物もしくはデポ、結膜下、テノン嚢下または硝子体内注射、挿入物もしくはデポを用いて投与される、請求項１６に記載のドライアイ疾患治療用製剤。
【請求項１８】
ドライアイ疾患を治療するためのアンブロキソールおよび／または塩の形態のアンブロキソールの使用。
【手続補正書】
【提出日】令和2年10月29日(2020.10.29)
【手続補正１】
【補正対象書類名】特許請求の範囲
【補正対象項目名】全文
【補正方法】変更
【補正の内容】
【特許請求の範囲】
【請求項１】
患者中の腫瘍においてＰＡＲＰ１媒介性腫瘍壊死を誘導するための医薬組成物であって、該医薬組成物が、剤形中に療法上有効量のＺｎ（ＩＩ）塩およびγ−ポリグルタミン酸キャリヤーを含み；
前記のγ−ポリグルタミン酸キャリヤーが、γ−ポリグルタミン酸、腫瘍標的化γ−ポリグルタミン酸誘導体、電荷修飾γ−ポリグルタミン酸誘導体および腫瘍標的化電荷修飾γ−ポリグルタミン酸誘導体から選択される１以上のキャリヤーを含む、医薬組成物。
【請求項２】
請求項１に記載の医薬組成物であって、前記の腫瘍が、薬物耐性表現型を有する、医薬組成物。
【請求項３】
請求項２に記載の医薬組成物であって、前記の薬物耐性表現型が、機能不全のｐ５３である、医薬組成物。
【請求項４】
請求項２に記載の医薬組成物であって、前記の薬物耐性表現型が、ＭＤＲ１の過剰発現である、医薬組成物。
【請求項５】
請求項２に記載の医薬組成物であって、前記の薬物耐性表現型が、ＭＲＰ１の過剰発現である、医薬組成物。
【請求項６】
請求項１〜５のいずれか１項に記載の医薬組成物であって、前記の剤形中における前記のＺｎ（ＩＩ）塩および前記のγ−ポリグルタミン酸キャリヤーが、療法量のＮＦ−κＢ阻害剤との組み合わせで療法量で投与される、医薬組成物。
【請求項７】
請求項１〜６のいずれか１項に記載の医薬組成物であって、前記の剤形が、固体剤形または液体剤形である、医薬組成物。
【請求項８】
請求項７に記載の医薬組成物であって、前記の剤形が、固体剤形であり、錠剤、ミニ錠剤、硬カプセル、軟カプセル、カプレット、ゼラチンカプセル、経口崩壊性フィルム、顆粒、ペレット、ペーストおよび粉末小袋から選択される、医薬組成物。
【請求項９】
請求項７に記載の医薬組成物であって、前記の剤形が、液体剤形であり、液体溶液、液体懸濁液、シロップおよび経口スプレーから選択される、医薬組成物。
【請求項１０】
請求項７に記載の医薬組成物であって、前記の投与工程が、経口投与および注射投与から選択される、医薬組成物。
【請求項１１】
（ｉ）薬学的に許容可能なＺｎ（ＩＩ）塩ならびに（ｉｉ）腫瘍標的化部分および／または電荷修飾部分によって修飾されているγ−ポリグルタミン酸を含むγ−ポリグルタミン酸キャリヤーを含む医薬組成物。
【請求項１２】
請求項１１に記載の医薬組成物であって、前記の腫瘍標的化部分が、葉酸、５Ｎ，１０Ｎ−ジメチルテトラヒドロフォレートおよびＲＧＤペプチドから選択され、前記の部分のいずれかの組み合わせが、γ−ポリグルタミン酸に共有結合的に連結されている医薬組成物。
【請求項１３】
請求項１１または１２に記載の医薬組成物であって、前記の電荷修飾部分が、クエン酸、エチレンジアミン四酢酸、１，４，７，１０−テトラシクロドデカン−Ｎ，Ｎ’，Ｎ''，Ｎ'''−四酢酸およびジエチレントリアミン五酢酸から選択され、前記の部分のいずれかの組み合わせが、γ−ポリグルタミン酸に共有結合的に連結されている医薬組成物。
【請求項１４】
請求項１１〜１３のいずれかに記載の医薬組成物であって、さらに（ｉｉｉ）γ−ポリグルタミン酸を含む医薬組成物。
【請求項１５】
請求項１１〜１４のいずれか１項に記載の医薬組成物であって、前記のＺｎ（ＩＩ）塩の実質的な部分が、Ｚｎ（ＩＩ）イオンの前記γ−ポリグルタミン酸キャリヤーとの結合した複合体である医薬組成物。
【請求項１６】
請求項１１〜１４のいずれか１項に記載の医薬組成物であって、（ｉ）前記のＺｎ（ＩＩ）塩および（ｉｉ）前記のγ−ポリグルタミン酸キャリヤーが、固体混合物中で一緒に混合される医薬組成物。
【請求項１７】
請求項１１〜１６のいずれか１項に記載の医薬組成物であって、さらにＮＦ−κＢ阻害剤を含む医薬組成物。
【請求項１８】
請求項１１〜１７のいずれか１項に記載の医薬組成物であって、固体剤形として配合される医薬組成物。
【請求項１９】
請求項１８に記載の医薬組成物であって、前記の固体剤形が、さらに胃耐性結合剤および／または胃耐性外部コーティングを含む医薬組成物。
【請求項２０】
請求項１１〜１７のいずれか１項に記載の医薬組成物であって、液体剤形として配合される医薬組成物。
【請求項２１】
請求項２０に記載の医薬組成物であって、前記の液体剤形が、注射に適している医薬組成物。
【請求項２２】
請求項２０または２１に記載の医薬組成物であって、前記の液体剤形が、さらに胃耐性材料を含む医薬組成物の懸濁液である医薬組成物。
【請求項２３】
患者において腫瘍を処置するための、請求項１１〜２２のいずれか１項に記載の医薬組成物。
【請求項２４】
請求項２３に記載の医薬組成物であって、前記の腫瘍が、機能不全のｐ５３、ＭＤＲ１過剰発現およびＭＲＰ１過剰発現から選択される薬物耐性表現型を有する、医薬組成物。
【手続補正書】
【提出日】令和2年11月2日(2020.11.2)
【手続補正１】
【補正対象書類名】特許請求の範囲
【補正対象項目名】全文
【補正方法】変更
【補正の内容】
【特許請求の範囲】
【請求項１】
活性剤としての疎水性薬剤と、組成物を肝臓に標的化することができる少なくとも１種の脂肪酸と、を含む医薬組成物または栄養補助食品組成物であって、組成物を肝臓に標的化することができる前記少なくとも１種の脂肪酸は、飽和脂肪酸、短鎖脂肪酸および中鎖脂肪酸からなる群から選択され、
前記医薬組成物または栄養補助食品組成物は、肝臓障害、高コレステロール、高トリグリセリド、肝臓関連炎症、および酸化的損傷から選択される疾患または障害の治療用または予防用である、
医薬組成物または栄養補助食品組成物。
【請求項２】
組成物を肝臓に標的化することができる前記少なくとも１種の脂肪酸は、飽和脂肪酸である、請求項１に記載の医薬組成物または栄養補助食品組成物。
【請求項３】
前記飽和脂肪酸は、カカオ脂である；または
前記疎水性薬剤は、カロテノイド、ポリフェノール、スタチン、リン脂質および必須脂肪酸からなる群から選択される少なくとも１種を含む、
請求項２に記載の医薬組成物または栄養補助食品組成物。
【請求項４】
前記組成性薬剤は、リコペンを含み、
前記疾患または前記障害が、炎症、酸化的損傷、高コレステロールおよび／または高トリグリセリドである、請求項３に記載の医薬組成物または栄養補助食品組成物。
【請求項５】
前記疎水性薬剤は、必須脂肪酸を含み、前記疾患または前記障害は高トリグリセリド、高コレステロール、および高ＬＤＬのうちの１つまたは複数である；または
前記疎水性薬剤は、ＤＨＡおよびＥＰＡの少なくとも１つを含むオメガ３またはその誘導体であり、前記疾患または前記障害は高トリグリセリド、高コレステロール、および高ＬＤＬのうちの１つまたは複数である、
請求項４に記載の医薬組成物または栄養補助食品組成物。
【請求項６】
活性剤としての疎水性薬剤と、肝臓を迂回して組成物をリンパ系に標的化することができる少なくとも１種の脂肪酸と、を含む医薬組成物または栄養補助食品組成物であって、前記少なくとも１種の脂肪酸は、多価不飽和脂肪酸、長鎖脂肪酸および一価不飽和脂肪酸からなる群から選択され、
医薬組成物または栄養補助食品組成物は、収縮期血圧および拡張期血圧の上昇、低酸素症、良性前立腺肥大から選択される疾患または障害の治療用または予防用である、医薬組成物または栄養補助食品組成物。
【請求項７】
前記少なくとも１種の脂肪酸は、多価不飽和脂肪酸である、請求項６に記載の医薬組成物または栄養補助食品組成物。
【請求項８】
前記疎水性薬剤が、カロテノイドである、請求項７に記載の医薬組成物または栄養補助食品組成物。
【請求項９】
前記疎水性薬剤は、リコペン、ルテイン、ゼアキサンチン、メソゼアキサンチンおよびアスタキサンチンのうちの１つまたは複数を含む、請求項８に記載の医薬組成物または栄養補助食品組成物。
【請求項１０】
前記疎水性薬剤は、リコペンを含み、
前記疾患または障害は、酸化ストレス、収縮期血圧および拡張期血圧の上昇、低酸素症、および良性前立腺肥大からなる群から選択される１種以上である、請求項９に記載の医薬組成物または栄養補助食品組成物。
【請求項１１】
前記疎水性薬剤は、アスタキサンチンを含み、前記疾患または障害は、炎症または酸化ストレスである；または
前記疎水性薬剤は、ルテイン、ゼアキサンチン、メソゼアキサンチンを含み、前記疾患または障害は、視力低下、低酸素症および酸化ストレスから選択される；または
前記少なくとも1つの脂肪酸は、一価不飽和脂肪酸を含み、前記疎水性薬剤は、ルテイン、ゼアキサンチン、メソゼアキサンチンを含み、前記疾患または障害は、ＬＤＬ過酸化である、
請求項６に記載の医薬組成物または栄養補助食品組成物。
【請求項１２】
少なくとも１種のカロテノイド、ホスファチジルコリンおよび飽和脂肪酸を含む医薬組成物または栄養補助食品組成物であって、
前記少なくとも１種のカロテノイドとホスファチジルコリンの含有量は同じ桁量であり、
前記飽和脂肪酸の含有量は、前記少なくとも１つのカロテノイドとホスファチジルコリンのそれぞれの含有量よりも一桁大きい量である、医薬組成物または栄養補助食品組成物。
【請求項１３】
前記少なくとも１種のカロテノイドは、リコペンを含み、
前記飽和脂肪酸は、カカオ脂を含む、請求項１２に記載の医薬組成物または栄養補助食品組成物。
【請求項１４】
少なくとも１種のカロテノイド、ホスファチジルコリンおよび多価不飽和脂肪酸を含む医薬組成物または栄養補助食品組成物であって、
前記少なくとも１種のカロテノイドとホスファチジルコリンの含有量は同じ桁量であり、
前記多価不飽和脂肪酸の含有量は、前記少なくとも１つのカロテノイドとホスファチジルコリンのそれぞれの含有量よりも一桁大きい量である、医薬組成物または栄養補助食品組成物。
【請求項１５】
前記少なくとも１種のカロテノイドは、リコペンを含み、
前記多価不飽和脂肪酸は、ヒマワリ油を含む、請求項１４に記載の医薬組成物または栄養補助食品組成物。
【手続補正書】
【提出日】令和2年11月2日(2020.11.2)
【手続補正１】
【補正対象書類名】特許請求の範囲
【補正対象項目名】全文
【補正方法】変更
【補正の内容】
【特許請求の範囲】
【請求項１】
非晶質部分フッ素化ポリマーを重合する方法であって、
（ａ）以下のコモノマー：５〜２８重量％のテトラフルオロエチレンと；３０〜７０重量％のフッ化ビニリデンと；１０〜４５重量％のヘキサフルオロプロピレン及び１０〜４０重量％のペルフルオロエーテルモノマーから選択されるモノマーであって、前記ペルフルオロエーテルモノマーは、下記式
Ｒｆ−Ｏ−（ＣＦ２）ｎ−ＣＦ＝ＣＦ２
［式中、ｎは１又は０であり、Ｒｆは１つ以上の酸素原子によって介在されていてもいなくてもよいペルフルオロアルキル残基を表す。］のものである、モノマーと；コモノマーの総量に基づいて、０．０１〜２重量％のペルフルオロヨウ化ビニルエーテルであって、下記式：
Ｆ２Ｃ＝ＣＦ−（ＣＦ２）ｍ−（Ｏ）ｏ−（ＣＦ２）ｎ−Ｏ−（ＣＦ２）ｐ−Ｉ
［式中、ｍは０又は１であり、ｎは０〜５の整数であり、ｏは０又は１であり、ｐは１〜５の整数であり、ｎが０のとき、ｏは０である。］のものである、ペルフルオロヨウ化ビニルエーテルと；を準備することと、
（ｂ）前記コモノマー及び前記ペルフルオロヨウ化ビニルエーテルを、０．０１〜２重量％の連鎖移動剤であって、ジヨード−フルオロアルカン及びジヨード−メタンからなる連鎖移動剤と接触させることと、
（ｃ）水の存在下で、前記コモノマー及び前記ペルフルオロヨウ化ビニルエーテルを、開始剤と接触させることと、を含む、方法。
【請求項２】
前記重合が、フッ素化界面活性剤を実質的に含まない、請求項１に記載の方法。
【請求項３】
前記モノマーの存在下でシード組成物を提供すること、を更に含む、請求項１又は２に記載の方法。
【請求項４】
糖系乳化剤を更に含む、請求項１〜３のいずれか一項に記載の方法。
【請求項５】
（ａ）（ｉ）５〜２８重量％のテトラフルオロエチレンと、（ｉｉ）３０〜７０重量％のフッ化ビニリデンと、（ｉｉｉ）１０〜４５重量％のヘキサフルオロプロピレン及び１０〜４０重量％のペルフルオロエーテルモノマーから選択されるモノマーと、を含むコモノマーであって、前記ペルフルオロエーテルモノマーは、下記式
Ｒｆ−Ｏ−（ＣＦ２）ｎ−ＣＦ＝ＣＦ２
［式中、ｎは１又は０であり、Ｒｆは１つ以上の酸素原子が介在していても介在していなくてもよい、ペルフルオロアルキル残基を表す。］のものである、コモノマーと、
（ｂ）コモノマーの総量に基づいて、０．０１〜２重量％のペルフルオロヨウ化ビニルエーテルであって、下記式：
Ｆ２Ｃ＝ＣＦ−（ＣＦ２）ｍ−（Ｏ）ｏ−（ＣＦ２）ｎ−Ｏ−（ＣＦ２）ｐ−Ｉ
［式中、ｍは０又は１であり、ｎは０〜５の整数であり、ｏは０又は１であり、ｐは１〜５の整数であり、ｎが０のとき、ｏは０である。］を有する、ペルフルオロヨウ化ビニルエーテルと、
（ｃ）コモノマーの総量に基づいて、０．０１〜２重量％の連鎖移動剤であって、ジヨード−フルオロアルカン及びジヨード−メタンからなる、連鎖移動剤と、
から誘導される、非晶質部分フッ素化ポリマー。
【請求項６】
前記非晶質部分フッ素化ポリマーが、アルケン及びフッ素化アルケンからなる、０．５〜１０重量％のアルケンモノマーから更に誘導される、請求項５に記載の非晶質部分フッ素化ポリマー。
【請求項７】
前記非晶質部分フッ素化ポリマーが、ペルフルオロ化ジビニルエーテルモノマーから更に誘導される、請求項５又は６に記載の非晶質部分フッ素化ポリマー。
【請求項８】
前記ペルフルオロヨウ化ビニルエーテルが、ＩＣＦ２−Ｏ−ＣＦ＝ＣＦ２、ＩＣＦ２ＣＦ２−Ｏ−ＣＦ＝ＣＦ２、ＩＣＦ２ＣＦ２ＣＦ２−Ｏ−ＣＦ＝ＣＦ２、及びＣＦ３ＣＦＩＣＦ２−Ｏ−ＣＦ＝ＣＦ２からなる、請求項５〜７のいずれか一項に記載の非晶質部分フッ素化ポリマー。
【請求項９】
前記非晶質部分フッ素化ポリマーが有する抽出可能物の量が０．７０重量％未満である、請求項５〜８のいずれか一項に記載の非晶質部分フッ素化ポリマー。
【請求項１０】
請求項５〜９のいずれか一項に記載の非晶質部分フッ素化ポリマーと過酸化物硬化系との硬化反応の反応生成物を含む、硬化フルオロエラストマー組成物。
【請求項１１】
少なくとも３．５ｋＮ／ｍ以上のトラウザー引裂を有する、請求項１０に記載の硬化フルオロエラストマー組成物。
【請求項１２】
請求項１０又は１１に記載の硬化した非晶質部分フッ素化ポリマーを含む、成形物品。
【請求項１３】
ホース、チューブ、シール、及びＯリングのうちの少なくとも１つから選択される、請求項１２に記載の成形物品。
【手続補正書】
【提出日】令和2年9月24日(2020.9.24)
【手続補正１】
【補正対象書類名】明細書
【補正対象項目名】０００７
【補正方法】変更
【補正の内容】
【０００７】
すでに概説したように、自動車用ターボチャージャータービンの運転温度は上昇していく持続的傾向がある。これにより、運転温度がその能力を超えてしまうため、設計者はＩＮ７１Ｃの代替合金の検討をすることとなる。本発明の実施形態ではまた、中間温度（８５０℃〜１０００℃）のターボチャージャー・タービンホイールで使用するためにＩＮ７１３Ｃと同等のコストで高温合金を設計することも目的である。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  欧州特許出願公開第２５３７９５１号明細書  
（特許文献２）  英国特許出願公開第２０２４８５８号明細書
（特許文献３）  欧州特許出願公開第０３６１０８４号明細書  
（特許文献４）  ロシア国特許発明第２１３１９４３号明細書
【手続補正書】
【提出日】令和2年10月13日(2020.10.13)
【手続補正１】
【補正対象書類名】特許請求の範囲
【補正対象項目名】全文
【補正方法】変更
【補正の内容】
【特許請求の範囲】
【請求項１】
塗装部品に使用される鋼ストリップ、シート又はブランクであって、
前記ストリップ、シート又はブランクは、金属コーティングされていてもよく、
前記鋼は、重量％で、以下の組成：
Ｃ：最大０．００７
Ｍｎ：最大１．２
Ｓｉ：最大０．５
Ａｌ：最大０．１
Ｐ：最大０．１５
Ｓ：０．００３〜０．０４５
Ｎ：最大０．０１
Ｔｉ，Ｎｂ，Ｍｏ：
Ｔｉ≧０．００５かつＮｂ≧０．００５の場合は、０．０６≦４Ｔｉ＋４Ｎｂ＋２Ｍｏ≦０．６０
その他の場合は、０．０６≦Ｔｉ＋２Ｎｂ＋２Ｍｏ≦０．６０
以下の任意元素の１種又は２種以上：
Ｃｕ：最大０．１０
Ｃｒ：最大０．０６
Ｎｉ：最大０．０８
Ｂ：最大０．００１５
Ｖ：最大０．０１
Ｃａ：最大０．０１
Ｃｏ：最大０．０１
Ｓｎ：最大０．０１
鉄及び不可避的不純物である残部
を有する超低炭素（ＵＬＣ）鋼であり、メジアン結晶粒径が１１．０マイクロメートル未満である本質的に等軸の結晶粒を有し、
Ｗｓａ（成形）−Ｗｓａ（平坦）［式中、Ｗｓａ（成形）は、金属コーティングされていてもよい、成形後の基材表面のＷｓａ値であり、Ｗｓａ（平坦）は、必要に応じて金属コーティングされていてもよい、成形前の基材表面のＷｓａ値である。］として定義される、前記ストリップ、シート又はブランクの成形による表面のデルタうねりΔＷｓａが、０．１２μｍ以下である、前記鋼ストリップ、シート又はブランク。
【請求項２】
Ｔｉ、Ｎｂ及びＭｏの量が、重量％で、Ｔｉ≧０．００５かつＮｂ≧０．００５の場合は、０．０６≦４Ｔｉ＋４Ｎｂ＋２Ｍｏ≦０．３０であり、その他の場合は、０．０６≦Ｔｉ＋２Ｎｂ＋２Ｍｏ≦０．１０である、請求項１に記載の鋼ストリップ、シート又はブランク。
【請求項３】
Ｔｉ、Ｎｂ及びＭｏの量が、Ｃ、Ｎ及びＳのレベルに対して、すべて重量％で、
Ｔｉ（遊離）≦０の場合は、Ｔｉ（ｃ）＝０、その他の場合は、Ｔｉ（ｃ）＝Ｔｉ（使用）、ここで、Ｔｉ（遊離）＝Ｔｉ−３．４３Ｎ−１．５Ｓ、かつ、
０．０００８≦Ｃｓｏｌ≦０．００３３、ここで、Ｃｓｏｌ＝Ｃ−０．１２５Ｍｏ−０．１２９Ｎｂ−０．２５Ｔｉ（ｃ）
となるように調整されており、
Ｔｉ及びＮｂがともに＞０．００５重量％である場合は、０．０６重量％≦４（Ｔｉ＋Ｎｂ）＋２Ｍｏ≦０．６０重量％、その他の場合は、０．０６重量％≦Ｔｉ＋２Ｎｂ＋２Ｍｏ≦０．６０重量％であり、
焼付硬化型超低炭素鋼ストリップ、シート又はブランクである、請求項１又は２に記載の鋼ストリップ、シート又はブランク。
【請求項４】
前記本質的に等軸の結晶粒が、１０．０マイクロメートル未満のメジアン径を有する、請求項３に記載の鋼ストリップ、シート又はブランク。
【請求項５】
前記ストリップ、シート又はブランクの未変形鋼表面が、うねりＷｓａ≦０．３５μｍ、好ましくは、うねりＷｓａ≦０．３２μｍ、さらに好ましくは、Ｗｓａ≦０．２９μｍ、さらに一層好ましくは、Ｗｓａ≦０．２６μｍを有し、
前記うねりＷｓａが、圧延方向で測定される、請求項１〜４のいずれか一項に記載の鋼ストリップ、シート又はブランク。
【請求項６】
前記ストリップ、シート又はブランクが、亜鉛系コーティング、Ｚｎ−Ａｌ−Ｍｇ系コーティング又はアルミニウム系コーティングでコーティングされており、
前記亜鉛系コーティングが、好ましくは、０．１〜１．２重量％のアルミニウムと、０．３重量％以下の他の元素と、不可避的不純物及び亜鉛である残部とからなり、又は、
前記Ｚｎ−Ａｌ−Ｍｇ系コーティングが、好ましくは、０．２〜３．０重量％のアルミニウムと、０．２〜３．０重量％のマグネシウムと、０．３重量％以下の他の元素と、不可避的不純物及び亜鉛である残部とからなり、又は、
前記アルミニウム系コーティングが、好ましくは、０．２〜１３重量％のケイ素と、０．３重量％以下の他の元素と、不可避的不純物及びアルミニウムである残部とからなる、請求項１〜５の鋼ストリップ、シート又はブランク。
【請求項７】
請求項１〜６のいずれか一項に記載の鋼ストリップを製造する方法であって、
前記鋼ストリップが、熱間圧延及び冷間圧延され、冷間圧延ミルの最後のスタンド又は唯一のスタンドが、０．５μｍ以上７．０μｍ以下の粗さＲａを有する加工ロールを含む、前記方法。
【請求項８】
前記最後のスタンド又は前記唯一のスタンドにおける前記加工ロールの前記粗さＲａが、０．５５μｍ以上５．０μｍ以下、好ましくは０．６μｍ以上４．０μｍ以下、さらに好ましくは０．６μｍ以上２．０μｍ以下である、請求項７に記載の方法。
【請求項９】
前記冷間圧延ミルが、０．５μｍ以上７．０μｍ以下、好ましくは０．５５μｍ以上５．０μｍ以下、さらに好ましくは０．６μｍ以上４．０μｍ以下、最も好ましくは０．６μｍ以上２．０μｍ以下の粗さＲａを有する加工ロールを有する１つのスタンドを含む、請求項７又は８に記載の方法。
【請求項１０】
前記冷間圧延ミルが、２つのスタンドを含み、最初のスタンドの加工ロールが、０．６μｍ以上３．０μｍ以下の粗さＲａを有し、最後のスタンドの加工ロールが、０．５μｍ以上７．０μｍ以下、好ましくは０．５５μｍ以上５．０μｍ以下、さらに好ましくは０．６μｍ以上４．０μｍ以下、最も好ましくは０．６μｍ以上２．０μｍ以下の粗さＲａを有する、請求項７又は８に記載の方法。
【請求項１１】
前記冷間圧延ミルが、３つ以上のスタンドを含み、最初のスタンドの加工ロールが、０．６μｍ以上３．０μｍ以下の粗さＲａを有し、中間のスタンドの加工ロールが、０．３μｍ以上０．８μｍ以下の粗さＲａを有し、最後のスタンドの加工ロールが、０．５μｍ以上７．０μｍ以下、好ましくは０．５５μｍ以上５．０μｍ以下、さらに好ましくは０．６μｍ以上４．０μｍ以下、最も好ましくは０．６μｍ以上２．０μｍ以下の粗さＲａを有する、請求項７又は８に記載の方法。
【請求項１２】
冷間圧延されたストリップが、０．５μｍ以上４．０μｍ以下の粗さ、好ましくは２．８μｍ以下の粗さを有する調質ロールを使用して、好ましくは金属コーティングを施した後に、スキンパスされる、請求項７〜１１のいずれか一項に記載の方法。
【請求項１３】
請求項７〜１２のいずれか一項に記載の方法で製造されたストリップであって、
前記ストリップの表面が、４μｍ以上１２μｍ以下のコーティング厚さを有するアルミニウム系コーティングでコーティングされたストリップに関して、前記ストリップの圧延方向において、２．０μｍ未満の粗さＲａ及び０．６μｍ未満のうねりＷｓａを有する、前記ストリップ。
【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
水中表面のカソード防食電圧読取り及び超音波試験厚さ測定を略同時に実行するための一体型プローブシステムであって、
前記水中表面と接触している間、前記水中表面の前記カソード防食電圧読取りを実行するようにプローブキャリアの前面の周囲に配設された導電性部分を有する前記プローブキャリアと、
前記プローブキャリア内に組み込まれた１つまたは複数の磁石と、
前記プローブキャリア内に組み込まれており、前記１つまたは複数の磁石によって支持されており、前記導電性部分に隣接する磁束コンセントレータと、
前記プローブキャリアの前記前面の中心に取り付けられた可撓性膜と、
スリーブハウジングと、
トランスデューサ結晶を有する、前記導電性部分が前記水中表面と接触している間、前記水中表面の前記超音波試験厚さ測定を実行するための超音波プローブであって、前記超音波プローブが前記スリーブハウジング内に部分的に配設されており、前記可撓性膜に隣接するように前記プローブキャリアを通して延在し、前記可撓性膜が前記トランスデューサ結晶のまわりに配置されており、前記導電性部分が前記可撓性膜のまわりに配置されている、前記超音波プローブと、
前記スリーブハウジングの自由端に結合されており、前記導電性部分が水中の表面に接触するときに伝えられる力に応答して前記プローブキャリアに２つの自由度を提供するように構成されたばねと、
を備える、一体型プローブシステム。
【請求項２】
前記導電性部分が、前記プローブキャリアの前記前面から離れるように延在する導電性先端部を有する３つ以上の脚を備える、請求項１に記載の一体型プローブシステム。
【請求項３】
前記導電性部分が、鋸歯状リムを備える、請求項１に記載の一体型プローブシステム。
【請求項４】
前記磁束コンセントレータが、導磁性材料のリング状層である、請求項１に記載の一体型プローブシステム。
【請求項５】
前記磁束コンセントレータが、前記プローブキャリア内に組み込まれる１つまたは複数の導磁性ロッドを備える、請求項１に記載の一体型プローブシステム。
【請求項６】
前記磁束コンセントレータが鉄から作られている、請求項１に記載の一体型プローブシステム。
【請求項７】
前記スリーブハウジングが中空の円筒形管である、請求項１に記載の一体型プローブシステム。
【請求項８】
前記可撓性膜と前記トランスデューサ結晶との間の隙間の中に配置された接触媒質をさらに備える、請求項１に記載の一体型プローブシステム。
【請求項９】
水中表面のカソード防食電圧読取り及び超音波試験厚さ測定を略同時に実行するための一体型プローブシステムにおいて、
外側ジンバルであって、中空リングとして形づくられており、前記外側ジンバルの内面に配設された１つまたは複数の結合点と、前記外側ジンバルの外面に配設された１つまたは複数の結合点と、を有する前記外側ジンバルと、
前記外側ジンバルの内面に配設された前記１つまたは複数の結合点で前記外側ジンバルに結合された内側ジンバルであって、前記内側ジンバルが、前記水中表面と接触している間、前記水中表面の前記カソード防食電圧読取りを実行するように前記内側ジンバルの前面の周囲に配設された導電性部分を有する、前記内側ジンバルと、
前記内側ジンバルに結合された１つまたは複数の磁石と、
前記内側ジンバルの前記前面の中心に取り付けられた可撓性膜と、
トランスデューサ結晶を有する、前記導電性部分が前記水中表面と接触している間、前記水中表面の前記超音波試験厚さ測定を実行するための超音波プローブであって、前記超音波プローブが前記内側ジンバル内に部分的に配設されており、前記可撓性膜に隣接するように前記内側ジンバルを通して延在し、前記可撓性膜が前記トランスデューサ結晶のまわりに配置されており、前記導電性部分が前記可撓性膜のまわりに配置されている、前記超音波プローブと、
を備え、
前記外側ジンバルと前記内側ジンバルとが、前記導電性部分が前記水中表面に接触する際にかかる力に応じて前記内側ジンバルに２つの自由度をもたらすように前記外側ジンバルの前記内面及び前記外面の前記１つまたは複数の結合点を介して結合されている、一体型プローブ。
【請求項１０】
前記導電性部分が、前記内側ジンバルの前記前面のから離れるように延在する３つ以上の導電性先端部を備える、請求項９に記載の一体型プローブシステム。
【請求項１１】
前記導電性部分が、前記外側ジンバルの前面にさらに配置されており、かつ、それぞれが前記内側ジンバルまたは前記外側ジンバルのいずれかの前記前面から離れるように延在する４つ以上の導電性先端部を備える、請求項９に記載の一体型プローブシステム。
【請求項１２】
前記導電性部分が、鋸歯状リムを備える、請求項９に記載の一体型プローブシステム。
【請求項１３】
前記外側ジンバルに結合された１つまたは複数のマグネットをさらに備える、請求項９に記載の一体型プローブシステム。
【請求項１４】
前記外側ジンバルが、前記外側ジンバルの前記外面の前記１つまたは複数の結合点を介してロボットアームのエンドエフェクタにおいてモジュールフレームに結合されるように構成される、請求項９に記載の一体型プローブシステム。
【請求項１５】
前記可撓性膜と前記トランスデューサ結晶との間の隙間の中に配置された接触媒質をさらに備える、請求項９に記載の一体型プローブシステム。
【請求項１６】
前記外側ジンバルの前記外面の前記１つまたは複数の結合点に結合されたモジュールフレームをさらに備える、請求項９に記載の一体型プローブシステム。
【請求項１７】
前記内側ジンバルが、２つ以上の進入部を画定するように寸法決めされており、形づくられている、請求項１１に記載の一体型プローブシステム。
【請求項１８】
２つ以上の前記導電性先端部が、前記外側ジンバル上に配設されており、前記２つ以上の進入部を通って延在するように構成される、請求項１７に記載の一体型プローブシステム。
【手続補正書】
【提出日】令和2年7月10日(2020.7.10)
【手続補正１】
【補正対象書類名】明細書
【補正対象項目名】００４１
【補正方法】変更
【補正の内容】
【００４１】
適用例（仕上げ）：
ポリエステル：１００％ポリエステルの織布は、１ｇ／Ｌの６０％酢酸、５ｇ／Ｌの湿潤剤（ＩＮＶＡＤＩＮＥ（登録商標）ＰＢＮ）及び４０ｇ／Ｌ（８０ｇ／Ｌ）の、実施例１の分散液又は実施例２の分散液の何れかを含むリカーでパディングされる（リカーピックアップ（ｌｉｑｕｏｒ  ｐｉｃｋ−ｕｐ）５９％）。
綿−ポリエステル混紡：織布を１ｇ／Ｌの６０％酢酸、５ｇ／Ｌの湿潤剤（ＩＮＶＡＤＩＮＥ（登録商標）ＰＢＮ）及び４０ｇ／Ｌ（８０ｇ／Ｌ）の、実施例１の分散液又は実施例２の分散液の何れかを含有するリカーで、パッド−マングル（ｐａｄ−ｍａｎｇｌｅ）中で処理する（リカーピックアップ（ｌｉｑｕｏｒ  ｐｉｃｋ−ｕｐ）５１％）。
綿：綿の織布（１００％）を１ｇ／Ｌの６０％酢酸、５ｇ／Ｌの湿潤剤（ＩＮＶＡＤＩＮＥ（登録商標）ＰＢＮ）及び４０ｇ／Ｌ（８０ｇ／Ｌ）の、実施例１の分散液又は実施例２の分散液の何れかを含有するリカーで、パッド−マングル（ｐａｄ−ｍａｎｇｌｅ）中で処理する（リカーピックアップ（ｌｉｑｕｏｒ  ｐｉｃｋ−ｕｐ）６９％）。
上記の適用例は、上記の成分に加えて、５ｇ／Ｌ（１０ｇ／Ｌ）のＰＨＯＢＯＬ（登録商標）ＸＡＮ  ｅｘｔｅｎｄｅｒを含有する水性処理組成物を使用することにより繰り返される。
パディング後、布地（綿、ポリエステル及び木綿−ポリエステル混紡）を１１０℃で１０分間乾燥させ、次いで１５０℃で５分間硬化させる。
【手続補正書】
【提出日】令和2年3月31日(2020.3.31)
【手続補正１】
【補正対象書類名】明細書
【補正対象項目名】００３４
【補正方法】変更
【補正の内容】
【００３４】
入口導管および出口導管を有し、上記に開示される４族遷移金属含有膜形成用組成物のいずれかを収容するキャニスターを含む４族遷移金属含有膜形成用組成物送出装置も開示される。開示される送出装置は、以下の態様の１つ以上を含むことができる。
・４族遷移金属含有膜形成用組成物が１０ｐｐｍｗ未満の非４族金属汚染物質の全濃度を有する；
・入口導管の末端が４族遷移金属含有膜形成用組成物の表面より上に位置し、および出口導管の末端が４族遷移金属含有膜形成用組成物の表面より上に位置する；
・入口導管の末端が４族遷移金属含有膜形成用組成物の表面より上に位置し、および出口導管の末端が４族遷移金属含有膜形成用組成物の表面より下に位置する；
・入口導管の末端が４族遷移金属含有膜形成用組成物の表面より下に位置し、および出口導管の末端が４族遷移金属含有膜形成用組成物の表面より上に位置する；
・４族遷移金属アザトラン前駆体がＣｐＺｒ（（−Ｎ（Ｍｅ）−ＣＨ２−ＣＨ２−）３Ｎ−）である；
・４族遷移金属アザトラン前駆体がＣｐＺｒ（（−Ｎ（ｉＰｒ）−ＣＨ２−ＣＨ２−）３Ｎ−）である；
・４族遷移金属アザトラン前駆体が（Ｍｅ５Ｃｐ）Ｚｒ（（−Ｎ（Ｍｅ）−ＣＨ２−ＣＨ２−）３Ｎ−）である；
・４族遷移金属アザトラン前駆体が（Ｍｅ５Ｃｐ）Ｚｒ（（−Ｎ（ｉＰｒ）−ＣＨ２−ＣＨ２−）３Ｎ−）である；
・４族遷移金属アザトラン前駆体がＣｐＴｉ（（−Ｎ（Ｍｅ）−ＣＨ２−ＣＨ２−）３Ｎ−）である；
・４族遷移金属アザトラン前駆体がＣｐＴｉ（（−Ｎ（ｉＰｒ）−ＣＨ２−ＣＨ２−）３Ｎ−）である；
・４族遷移金属アザトラン前駆体が（Ｍｅ５Ｃｐ）Ｔｉ（（−Ｎ（Ｍｅ）−ＣＨ２−ＣＨ２−）３Ｎ−）である；および
・４族遷移金属アザトラン前駆体が（Ｍｅ５Ｃｐ）Ｔｉ（（−Ｎ（ｉＰｒ）−ＣＨ２−ＣＨ２−）３Ｎ−）である。